【手続補正書】
【提出日】平成23年12月16日(2011.12.16)
【手続補正１】
【補正対象書類名】明細書
【補正対象項目名】０００７
【補正方法】変更
【補正の内容】
【０００７】
いくつかの実施形態では、基本プロファイルと補助プロファイルの重ね合わせとして形成される面のプロファイル（Ｚsag）は以下の関係式：
【数１】
2011528451.tif 000001
によって定義することができ、ここでＺsagは、光軸からの半径方向距離の関数としての光軸に対する面のサグ量を示し、さらに
【数２】
2011528451.tif 000002
ここで、ｒはレンズの光軸からの半径方向距離、ｃは面の基本曲率、ｋは円錐定数、ａ2は２次変形定数、ａ4は４次変形定数、ａ6は６次変形定数を夫々示し、さらに
【数３】
2011528451.tif 000003
ここで、ｒ1は移行領域の半径方向内方境界、ｒ2は移行領域の半径方向外方境界を示し、さらに、Δは以下の式によって定義され：
【数４】
2011528451.tif 000004
ここで、ｎ1はオプティック形成材料の屈折率、ｎ2はオプティック周囲の媒質の屈折率、λは設計波長（例えば、５５０ｎｍ）、αは非整数分数（例えば、１／２）を夫々示している。
【手続補正２】
【補正対象書類名】特許請求の範囲
【補正対象項目名】全文
【補正方法】変更
【補正の内容】
【特許請求の範囲】
【請求項１】
光軸の周りに配置された前面及び後面を有するオプティックを有し、前記面の少なくとも一方が、基本プロファイルと補助プロファイルとの重ね合わせによって特徴付けられたプロファイルを有し、前記補助プロファイルは、少なくとも第１の領域と、少なくとも第２の領域と、これら領域間の移行領域とを有する、眼科用レンズであって、
前記移行領域を横切る光路差は、設計波長の非整数分数に相当することを特徴とする眼科用レンズ。
【請求項２】
前記移行領域は、内方領域の半径方向外方境界から外方領域の半径方向内方境界まで延びることを特徴とする請求項１に記載の眼科用レンズ。
【請求項３】
前記移行領域は、前記光軸からの増加する半径方向距離の関数として、前記外方境界に対する前記内方領域の光路差の単調な変化を与えるようになっていることを特徴とする請求項２に記載の眼科用レンズ。
【請求項４】
前記単調な変化は直線的な変化によって特徴付けられていることを特徴とする請求項３に記載の眼科用レンズ。
【請求項５】
前記単調な変化は、１つ又はそれ以上の平坦域によって隔てられた一連の直線的変化によって特徴付けられていることを特徴とする請求項３に記載の眼科用レンズ。
【請求項６】
前記補助プロファイルを有する前記面のプロファイル（Ｚsag）は以下の関係式：
【数１】
2011528451.tif 000005
によって定義され、ここでＺsagは、光軸からの半径方向距離の関数としての光軸に対する前記面のサグ量を示し、
【数２】
2011528451.tif 000006
であり、ここで、ｒは前記光軸からの半径方向距離を示し、ｃは前記面の基本曲率を示し、ｋは円錐定数を示し、ａ2は２次変形定数であり、ａ4は４次変形定数であり、ａ6は６次変形定数であり、
【数３】
2011528451.tif 000007
であり、ここで、ｒ1は前記移行領域の半径方向内方境界を示し、ｒ2は前記移行領域の半径方向外方境界を示し、Δは以下の関係式：
【数４】
2011528451.tif 000008
によって定義され、ここで、ｎ1は前記オプティックを形成する材料の屈折率を示し、ｎ2は前記オプティックの周囲の媒質の屈折率を示し、λは設計波長を示し、αは非整数分数を示すことを特徴とする請求項１に記載の眼科用レンズ。
【請求項７】
前記基本曲率ｃは、０．０１５２ｍｍ-1から０．０６５９ｍｍ-1までの範囲にあることを特徴とする請求項６に記載の眼科用レンズ。
【請求項８】
前記円錐定数ｋは−１１６２から−１９までの範囲内にあり、前記パラメータａ2は−０．０００３２ｍｍ-1から０．００ｍｍ-1までの範囲内にあり、前記パラメータａ4は０．０ｍｍ-3から−０．００００５３ｍｍ-3までの範囲内にあり、前記パラメータａ6は０．０ｍｍ-5から０．０００１５３ｍｍ-5までの範囲内にあることを特徴とする請求項６に記載の眼科用レンズ。
【請求項９】
前記補助プロファイルを有する前記面のプロファイル（Ｚsag）は以下の関係式：
【数５】
2011528451.tif 000009
によって定義され、ここでＺsagは、前記光軸からの半径方向距離の関数としての前記光軸に対する前記面のサグ量を示し、
【数６】
2011528451.tif 000010
ここで、ｒは前記光軸からの半径方向距離を示し、ｃは前記面の基本曲率を示し、ｋは円錐定数を示し、ａ2は２次変形定数であり、ａ4は４次変形定数であり、ａ6は６次変形定数であり、
【数７】
2011528451.tif 000011
であり、ここで、ｒは前記レンズの光軸からの前記半径方向距離を示し、ｒ1aは前記補助プロファイルの移行領域の第１の略直線状部分の内方半径を示し、ｒ1bは前記第１の直線状部分の外方半径を示し、ｒ2aは前記補助プロファイルの移行領域の第２の略直線状部分の内方半径を示し、ｒ2bは前記第２の直線状部分の外方半径を示し、
Δ1とΔ2は以下の関係式：
【数８】
2011528451.tif 000012
【数９】
2011528451.tif 000013
によって定義されることができ、ここで、ｎ1は前記オプティックを形成する材料の屈折率を示し、ｎ2は前記オプティックの周囲の媒質の屈折率を示し、λは設計波長を示し、α1は非整数分数を示し、α2は非整数分数を示すことを特徴とする請求項１に記載の眼科用レンズ。
【請求項１０】
前記眼科用レンズはＩＯＬを有することを特徴とする請求項１に記載の眼科用レンズ。
【請求項１１】
光軸の周りに配置された前面及び後面を有するオプティックを有し、前記面の少なくとも一方は、少なくとも１つの屈折性内方領域と、少なくとも１つの屈折性外方領域と、前記内方領域と前記外方領域との間に配置されかつ半径方向内方境界から半径方向外方境界に延びる屈折性移行領域とを有する、眼科用レンズであって、
前記移行領域は、該移行領域に入射する放射線の位相が、前記内方境界から前記外方境界にかけて単調に変化し、前記外方境界と前記内方境界との間に、設計波長の非整数分数によって特徴付けられた位相シフトを生じさせるようになっていることを特徴とする眼科用レンズ。
【請求項１２】
前記非整数分数は１より小さいことを特徴とする請求項１１に記載の眼科用レンズ。
【請求項１３】
前記非整数分数は１より大きいことを特徴とする請求項１１に記載の眼科用レンズ。
【請求項１４】
前記移行領域は環状の領域を有することを特徴とする請求項１１に記載の眼科用レンズ。
【請求項１５】
前記少なくとも１つの面は、１ｍｍから５ｍｍまでの範囲内にある半径方向直径を有することを特徴とする請求項１１に記載の眼科用レンズ。
【請求項１６】
前記環状領域は、０ｍｍから１ｍｍまでの範囲内にある半径方向幅を有することを特徴とする請求項１４に記載の眼科用レンズ。
【請求項１７】
前記設計波長は５５０ｎｍであることを特徴とする請求項１１に記載の眼科用レンズ。
【請求項１８】
前記オプティックは、１.５ｍｍから６ｍｍまでの範囲内の開口サイズに対しては、前記オプティックの焦点面に対して非対称なスルーフォーカス変調伝達関数を示すことを特徴とする請求項１１に記載の眼科用レンズ。
【請求項１９】
前記前面及び後面の夫々は、公称の単焦点屈折力を前記レンズに与えるようになっている基本プロファイルを示すことを特徴とする請求項１１に記載の眼科用レンズ。
【請求項２０】
前記屈折力は−１５ジオプターから＋５０ジオプターまでの範囲内にあることを特徴とする請求項１１に記載の眼科用レンズ。
【請求項２１】
光軸の周りに配置された前面及び後面を有するオプティックであって、前記面の夫々が基本面プロファイルを有する、オプティックと、内面領域と外面領域との間に延びる移行面領域を生成するべく、前記面の少なくとも一方の基本面プロファイルに重ね合わされる面変化パターンと、を有する眼科用レンズであって、
前記移行領域によって、前記オプティックは、１.５ｍｍから６ｍｍまでの範囲の直径を有する開口を通って前記オプティックに入射する光に対しては、設計波長について、非対称のスルーフォーカス変調伝達関数を示すことを特徴とする眼科用レンズ。
【請求項２２】
前記オプティックは、１.５ｍｍから６ｍｍまでの範囲の直径を有する開口を通って入射する設計波長の光に対しては、０．２５ジオプターから１．７５ジオプターまでの範囲の被写界深度を示すことを特徴とする請求項２１に記載の眼科用レンズ。
【請求項２３】
前記オプティックは、２ｍｍ未満の直径を有する開口を通って前記オプティックに入射する設計波長の光に対しては、実質上対称なスルーフォーカス変調伝達関数を示すことを特徴とする請求項２１に記載の眼科用レンズ。
【請求項２４】
前面及び後面を有するオプティックを有し、夫々の面は、前記オプティックに公称屈折力を協働して与えるような基本プロファイルを有し、前記面の少なくとも一方は、その公称面プロファイルに補助面プロファイルを加えることによって定義されるプロファイルを有し、前記補助プロファイルは、中央領域と、外方領域と、前記内方領域と前記外方領域との間に延びる移行領域とによって特徴付けられる、眼科用レンズであって、
前記補助プロファイルは、選択された範囲内のサイズを持つ開口を通って前記オプティックに入射する設計波長の光に対しては、前記オプティックの有効屈折力と前記公称屈折力との間にずれを生じさせるようになっていることを特徴とする眼科用レンズ。
【請求項２５】
前記有効屈折力は、前記設計波長及び前記開口サイズにおける前記オプティックのスルーフォーカス変調伝達関数のピークによって特徴付けられることを特徴とする請求項２４に記載の眼科用レンズ。
【請求項２６】
前記補助プロファイルは、前記設計波長及び前記開口サイズに対する前記オプティックの被写界深度を高めるようになっていることを特徴とする請求項２５に記載の眼科用レンズ。
【請求項２７】
前記被写界深度は、前記スルーフォーカス変調伝達関数の１５％コントラストレベルにおける全幅値として特徴付けられることを特徴とする請求項２６に記載の眼科用レンズ。
【請求項２８】
前記オプティックの、その公称屈折力に対する有効屈折力の前記ずれは、０．２５Ｄから１．７５Ｄまでの範囲内にあることを特徴とする請求項２７に記載の眼科用レンズ。
【請求項２９】
光軸の周りに配置された前面及び後面を有するオプティックを有し、前記面の少なくとも一方が少なくとも内方屈折領域と少なくとも外方屈折領域とを有する、眼科用レンズであって、
前記少なくとも一方の面のプロファイルは、前記内方領域の外方境界から前記外方領域の内方境界にかけて、単調に変化する位相シフトを入射放射線に与えることで、２つの前記境界間に設計波長の非整数分数である位相シフトを与えるように構成されていることを特徴とする眼科用レンズ。
【請求項３０】
前記設計波長は５５０ｎｍであることを特徴とする請求項２９に記載の眼科用レンズ。
【請求項３１】
前記内方領域の前記外方境界における、前記少なくとも一方の面のプロファイルの半径方向導関数は不連続性を示すことを特徴とする請求項２９に記載の眼科用レンズ。
【請求項３２】
前記少なくとも一方の面のプロファイルは、前記位相シフトが０．７５ｍｍから２．５ｍｍまでの範囲内の半径方向距離に亘って生じるように構成されていることを特徴とする請求項２９に記載の眼科用レンズ。
【請求項３３】
前記少なくとも一方の面のプロファイルは、前記位相シフトによって、０．２５Ｄから１．７５Ｄまでの範囲内の値だけ、前記オプティックによって示される焦点深度の拡張がもたらされるように構成されていることを特徴とする請求項２９に記載の眼科用レンズ。